(57)【要約】【課題】簡素な構造で、感熱部材の設置スペースを縮小することができ、感熱部材の交換などのメンテナンス作業も容易な、防火ダンパを提供する。【解決手段】防火ダンパ１０は、四角筒状の本体ケーシング１と、本体ケーシング１内に配置された複数の支軸２にそれぞれ回動可能に軸支された羽根３と、複数の羽根３を連動するための連結部材と、羽根３を開閉するとともにその開度を設定するための開度調節機構５と、羽根３を閉止方向に付勢する弾性機構であるバネおよび駆動軸と、開度調節機構５に隣接して本体ケーシング１に開設された開閉式の点検口と、を備えている。また、本体ケーシング１内において、点検口に臨む位置に、バネの付勢力を係留するとともに設定温度になるとその一部が溶融して前記係留を解除する感熱溶断部材１２を設けている。【選択図】図１
2007078213.tif 000002
【特許請求の範囲】
【請求項１】
筒状の本体ケーシングと、前記本体ケーシング内の流路を開閉するため前記本体ケーシング内に回動可能に軸支された羽根と、前記羽根を開閉するための開閉機構と、前記羽根を閉止方向に付勢する弾性機構と、前記本体ケーシングに開設された開閉式の点検口と、を備え、
前記本体ケーシング内の前記点検口に臨む位置に、前記弾性機構の付勢力を係留するとともに設定温度になると前記係留を解除する感熱部材を設けたことを特徴とする防火ダンパ。
【請求項２】
前記羽根の開度を設定するための開度調節機構を前記点検口に隣接して設けた請求項１記載の防火ダンパ。
【請求項３】
前記弾性機構により前記羽根を閉止する方向に付勢する状態に設けられた回転部材と、少なくとも一部が前記回転部材と対向した状態で前記本体ケーシング内に配置された保持部材とを前記対向部分において連結する位置に、前記感熱部材を設けた請求項１または２記載の防火ダンパ。
【請求項４】
前記保持部材の少なくとも一部が前記点検口の領域内で移動可能である請求項３記載の防火ダンパ。
【発明の詳細な説明】
【技術分野】
【０００１】
本発明は、建築物の空調設備を構成する空調用ダクトなどに配備される防火ダンパに関する。
【背景技術】
【０００２】
建築物の空調設備を構成する空調用ダクトには、火災発生時に当該空調用ダクト内を流動する高温気流や煙を検知して自動的に流路を閉止する防火ダンパが設置されている。従来の防火ダンパとして、火災などによる高温空気流の流入を感知し、開閉羽根を自動的に閉止する自動開閉器を備えたものがある（例えば、特許文献１，２参照）。
【０００３】
特許文献１，２記載の防火ダンパ（検査口付きダンパ開閉器、検査口付きダンパ）においては、火災発生時、開閉羽根を自動閉止する機構を起動するための温度感知手段として、所謂、温度ヒューズが使用されている。従来の温度ヒューズは、円筒状の本体部に、その一方の端部から出没する係止ピンと、係止ピンを没入方向に付勢するバネとが内蔵され、係止ピンを突出状態に保持する感熱ヒューズが本体部の他方の端部に配置されている。
【０００４】
開閉羽根は、弾性材によって閉止方向に付勢された駆動軸で軸支されており、平常時は、駆動軸の端部に設けられた開閉器の係止部と、温度ヒューズの本体端部から突出している係止ピンとが係合して駆動軸が係止されることによって開閉羽根が所定の設定開度に保持されている。そして、火災発生時に空調用ダクト内を流動する空気流が高温になると、温度ヒューズ内の感熱ヒューズが溶断して保持力を失い、温度ヒューズ内のバネの復元力により係止ピンが本体内に没入して開閉器との係合が解除されるため、駆動軸が弾性材の復元力によって閉止方向に回転し、開閉羽根が自動的に閉止される。
【０００５】
【特許文献１】実公平３−５６８５０号公報
【特許文献２】実用新案登録公報第２５７９４１５号公報
【発明の開示】
【発明が解決しようとする課題】
【０００６】
特許文献１，２記載の防火ダンパ（検査口付きダンパ開閉器、検査口付きダンパ）において使用されている温度ヒューズは、前述したように、円筒状の本体部に、係止ピン、バネおよび感熱ヒューズなどが内蔵された複雑な構造であるため、構成部品が多く、サイズも比較的大である。このため、温度ヒューズを配置するには比較的広いスペースを必要とし、温度ヒューズの交換作業も面倒である。
【０００７】
また、従来の温度ヒューズは、係止ピンおよびバネなどが内蔵された円筒状の本体部（ヒューズホルダ）に感熱ヒューズを取り付けた構造なので、ヒューズホルダ部分の損傷や腐食などに起因して防火ダンパの作動不良が発生するのを予防するため、定期的なメンテナンスが行われている。このようなメンテナンスの際に、ヒューズホルダ部分の損傷などが発見されると、感熱ヒューズ自体に異常がなくても、温度ヒューズ（感熱ヒューズなどを内蔵するヒューズホルダ）全体を新品に交換しなければならないので、交換作業に多くの手間と時間を要するだけでなく、温度ヒューズ（感熱ヒューズなどを内蔵するヒューズホルダ）の消費個数も増大する。さらに、従来の温度ヒューズは、感熱ヒューズが内蔵されたヒューズホルダを所定位置に保持するために複雑な固定機構を設ける必要があり、防火ダンパ全体の簡素化を阻む要因の一つとなっている。
【０００８】
本発明が解決しようとする課題は、感熱部材の設置スペースを縮小して構造の簡素化を図ることができ、感熱部材の交換などのメンテナンス作業も容易な、防火ダンパを提供することにある。
【課題を解決するための手段】
【０００９】
本発明の防火ダンパは、筒状の本体ケーシングと、前記本体ケーシング内の流路を開閉するため前記本体ケーシング内に回動可能に軸支された羽根と、前記羽根を開閉するための開閉機構と、前記羽根を閉止方向に付勢する弾性機構と、前記本体ケーシングに開設された開閉式の点検口と、を備え、
前記本体ケーシング内の前記点検口に臨む位置に、前記弾性機構の付勢力を係留するとともに設定温度になると前記係留を解除する感熱部材を設けたことを特徴とする。
【００１０】
このような構成とすれば、火災発生時に本体ケーシング内の流路に高温の空気流が流入したとき、羽根を閉止方向に回動させる弾性機構を起動させる手段として感熱部材のみを設けた構造となるため、その設置スペースを、従来の温度ヒューズより縮小することができ、構造の簡素化を図ることができる。また、前記感熱部材は、本体ケーシングの点検口に臨む位置に配置されるため、感熱部材の交換などのメンテナンス作業も容易となる。なお、感熱部材としては、設定温度になると、その一部が溶融して係留を解除する感熱溶断部材や、設定温度になるとその一部が変形して係留を解除する感熱変形部材などを採用することができる。
【００１１】
ここで、前記羽根の開度を設定するための開度調節機構を前記点検口に隣接して設ければ、羽根の開度を調節する作業と点検作業とを集約化することができるため、作業効率が向上する。
【００１２】
また、前記弾性機構により前記羽根を閉止する方向に付勢する状態に設けられた回転部材と、少なくとも一部が前記回転部材と対向した状態で前記本体ケーシング内に配置された保持部材とを前記対向部分において連結する位置に、前記感熱部材を設けることが望ましい。このような構成とすれば、前記弾性機構による羽根の閉止方向への付勢力を、感熱部材が直接的に係留する状態となるため、感熱部材の係留が解除されたときの羽根の閉止動作が、より確実に行われる。また、羽根に感熱部材を固定しない構造なので、羽根の開度調節機構を支障なく採用することができる。なお、「本体ケーシング内に配置された保持部材」とは、少なくとも感熱部材を支える部分が本体ケーシング内に位置する保持部材を意味しており、保持部材の取り付け位置を本体ケーシング内などに限定するものではない。
【００１３】
さらに、前記保持部材の少なくとも一部を前記点検口の領域内で移動可能とすることもできる。このような構成とすれば、点検口から手を挿入して防火ダンパ内部のメンテナンス作業などを行う場合、必要に応じて、手作業の邪魔にならないように、保持部材を動かすことが可能となるため、作業性が向上する。
【発明の効果】
【００１４】
本発明により、感熱部材の設置スペースを縮小して、構造の簡素化を図ることができ、感熱部材の交換などのメンテナンス作業も容易な、防火ダンパを提供することができる。
【発明を実施するための最良の形態】
【００１５】
以下、図面に基づいて、本発明の実施の形態について説明する。図１は本発明の実施の形態である防火ダンパを示す正面図、図２は図１に示す防火ダンパの右側面図、図３は図２に示す開度調節機構付近を蓋体離脱状態で示す拡大図、図４は図３に示す開度調節機構付近の一部切欠平面図、図５は図３に示す開度調節機構付近の一部切欠側面図、図６は図５に示す感熱溶断部材付近の一部切欠拡大図である。
【００１６】
図１〜図５に示すように、本実施形態の防火ダンパ１０は、四角筒形状をした本体ケーシング１と、空気流の流路となる本体ケーシング１内に配置された複数の支軸２によりそれぞれ回動可能に軸支された羽根３と、複数の羽根３を連動するため各羽根３を軸支した状態で垂直方向に配置された連結部材２０と、上下方向の中央に位置する支軸２を回動させるためのハンドル８と、羽根３の開度を設定する際にネジ２１を用いてハンドル８を所定位置に係止するための開度調節板９と、羽根３を閉止方向に付勢する弾性機構を構成するバネ１８および駆動軸１７と、本体ケーシング１の右側面に開設された開閉式の点検口７と、を備えている。
【００１７】
本実施形態においては、各羽根３とともに回動可能な複数の支軸２、連結部材２０およびハンドル８によって羽根３の開閉機構が形成されており、後述するように、この開閉機構を操作するためのハンドル８、開度調節板９およびネジ２１などによって開度調節機構５が形成されているため、開閉機構は開度調節機構５と一体化した構造をなしている。
【００１８】
本体ケーシング１の左右両側面の上方には、防火ダンパ１０を吊下保持するための部材（図示せず）を係止することのできる吊り下げ具４が配置されている。ケーシング１外側の点検口７に隣接する位置に開度調節機構５が配置され、点検口７および開度調節機構５を囲むように四角筒状のケーシング１９が配置され、このケーシング１９の開口部１９ａを開閉するための蓋体６が開口部１９ａに着脱可能に装着されている。蓋体６は、その表面側から挿入した複数のネジ１１を、ケーシング１９の開口部１９ａの内周に設けられた複数の雌ネジ孔１１ａにそれぞれ螺着することにより開口部１９ａに固定される。
【００１９】
図３〜図４に示すように、羽根３の支軸２の外周には円筒状の駆動軸１７が支軸２から独立して回動可能に装着されており、この駆動軸１７を羽根３の閉止方向へ付勢するバネ１８と、ケーシング１９の外側において駆動軸１７に固定された扇形状の開度調節板９と、開度調節板９より外側において連結部材１５を介して支軸２に固定されたハンドル８と、ハンドル８を開度調節板９に固定するためのネジ２１と、を備えている。
【００２０】
本体ケーシング１内における駆動軸１７の端部にはＬ字形状の回転部材１４が固定され、回転部材１４の外端部にはＵ字形状の切欠部１４ａが設けられ、この切欠部１４ａと対向する位置に切欠部１３ａを有する保持部材１３が、支軸１６を介してケーシング１９の底面に回動可能に取り付けられている。そして、保持部材１３と回転部材１４とが離隔しないように連結するため、それぞれの切欠部１３ａ，１４ａの両方に係合した状態で感熱溶断部材１２が取り付けられている。
【００２１】
感熱溶断部材１２は、本体ケーシング１内において点検口７に臨む位置に配置され、弾性機構を構成するバネ１８の付勢力を係留するとともに、設定温度（例えば、本実施形態では７２℃）になるとその一部が溶融して前記係留を解除する機能を有している。即ち、バネ１８により羽根３を閉止する方向に付勢する状態に設けられた回転部材１４と、その切欠部１３ａを回転部材１４の切欠部１４ａと対向させた状態で本体ケーシング１内に配置された保持部材１３とを、切欠部１３ａ，１４ａにおいて連結する位置に感熱溶断部材１２を設けることにより、バネ１８の付勢力を感熱溶断部材１２で係留している。
【００２２】
感熱溶断部材１２は、図６に示すように、上端部が漏斗状に拡径した円管状の本体１２ａと、本体１２ａと略相似形状であって本体１２ａに外装されたストッパ１２ｂと、本体１２ａとストッパ１２ｂとを固着するためこれらの隙間に充填された低融点合金（図示せず）と、で構成されている。常温雰囲気下では、感熱溶断部材１２は図６に示す形状を保つことにより、回転部材１４が保持部材１３から離隔しないように係止している。本体ケーシング１内の流路に流れ込む空気流の温度が設定温度（低融点合金の融点）を超えると、低融点合金が溶融して固着力を失うため、バネ１８から回転部材１４を介して感熱溶断部材１２に加わっている引張力により、ストッパ１２ｂと本体１２ａとが分離し、回転部材１４が羽根３とともに閉止方向へ回転し、本体ケーシング１内の流路が閉塞される。
【００２３】
次に、防火ダンパ１０の使い方について説明する。平常時においては、感熱溶断部材１２が図６に示す状態を保つことによってバネ１８の付勢力を係留しているため、羽根３の開度は設定開度に保たれている。ここで、開度調節機構５のハンドル８を開度調節板９に係止しているネジ２１を外すと、ハンドル８は、駆動軸１７との係合が解除され、駆動軸１７から独立して回動可能となる。この状態でハンドル８を回動させると、ハンドル８と連動する支軸２を介して羽根３が回動し、本体ケーシング１内の流路を開閉するため、その開度を変更することができる。この場合、開度調節板９に開設された複数の調節孔９ａのいずれかの位置とハンドル８の位置とを重ね合わせ、ハンドル８の表面側から調節孔９ａにネジ２１を挿入、螺着して、ハンドル８を開度調節板９に係止することにより、羽根３の開度を所定開度に設定することができる。本実施形態の場合、図３において、ネジ２１を外した状態にあるハンドル８を時計回りに回転させると羽根３は閉止方向に回転し、反時計回りに回転させると羽根３は開放方向に回転する。
【００２４】
火災発生により、本体ケーシング１内の流路に高温の空気流が流れ込むと、感熱溶断部材１２が溶断してストッパ１２ｂと本体１２ａとが分離し、その係留が解除されるため、バネ１８の付勢力により回転部材１４および駆動軸１７が、図３において時計回りに回転する。このとき、駆動軸１７とともに開度調節板９が時計回りに回転し、ネジ２１を介して開度調節板９に固定されたハンドル８も時計回りに回転するため、ハンドル８と連動する支軸２の回転により羽根３が閉止方向へ回転して、本体ケーシング１内の流路が閉塞され、防火機能を発揮する。
【００２５】
本実施形態の防火ダンパ１０は、火災発生時に、羽根３を閉止方向に付勢するバネ１８などで構成される弾性機構を起動させる手段として、感熱溶断部材１２のみを設けた構造であるため、その設置スペースを従来の温度ヒューズよりも縮小することができ、構造の簡素化を図ることができる。また、感熱溶断部材１２は、本体ケーシング１内において、点検口７に臨む位置に設けられているため、感熱溶断部材１２の交換などのメンテナンス作業も容易である。
【００２６】
また、バネ１８により羽根３を閉止方向に付勢する状態に設けられた回転部材１４と、回転部材１４と対向した状態で本体ケーシング１に係止された保持部材１３とを連結する位置に感熱溶断部材１２を設けているため、バネ１８による羽根３の閉止方向への付勢力を、感熱溶断部材１２が直接的に係留する状態となっている。従って、感熱溶断部材１２が一部溶融して係留が解除されたときの羽根３の閉止動作が、より確実に行われる。また、羽根３に対して、直接、感熱溶断部材１２を取り付けていないので、開度調節機構５による羽根３の開度調節が可能である。なお、感熱溶断部材１２の固定機構は、本実施形態に限定するものではないので、ネジなどの固定手段を用いて固定することもできる。さらに、感熱溶断部材１２の代わりに、設定温度になるとその一部が変形して係留を解除する機能を有する感熱変形部材などを使用することもできる。
【００２７】
また、図４に示すように、保持部材１３は垂直方向の支軸１６によって回動可能に軸支されているため、保持部材１３の支軸１６付近および支軸１６から先端部１３ｂまでの部分は、点検口７の領域内およびケーシング１９の範囲内で移動可能である。従って、ケーシング１９の開口部１９ａおよび点検口７から本体ケーシング１内に手や工具などを挿入して、防火ダンパ１０内部のメンテナンス作業などを行う場合、必要に応じて、手作業の邪魔にならないように保持部材１３を動かすことができ、作業性も良好である。なお、保持部材１３の取り付け位置はケーシング１９内に限定するものではないので、本体ケーシング１内などの他の位置に取り付けることもできる。
【００２８】
また、保持部材１３を正規の位置に戻し、ケーシング１９の開口部１９ａに蓋体６を装着すると、蓋体６の裏面が保持部材１３の先端部１３ｂに当接して拘束するため、振動などによって保持部材１３が勝手に回動することはない。さらに、本実施形態の防火ダンパ１０においては、図２に示すように、平常時における開度調節機構５のハンドル８が、点検口７の反対側に延出するように配置しているが、ハンドル８の位置はこれに限定するものではない。
【００２９】
本実施形態の防火ダンパ１０は、羽根３の開閉機構と開度調節機構５とを一体化させた構造としているが、本発明の防火ダンパはこれに限定するものではないので、開度調節機構を省略し、羽根の開閉機構のみを設けた防火ダンパにおいても広く採用可能である。
【産業上の利用可能性】
【００３０】
本発明の防火ダンパは、建築物の空調設備の構成部材として、各種建築物において広く利用することができる。
【図面の簡単な説明】
【００３１】
【図１】本発明の実施の形態である防火ダンパを示す正面図である。
【図２】図１に示す防火ダンパの右側面図である。
【図３】図２に示す開度調節機構付近を蓋体離脱状態で示す拡大図である。
【図４】図３に示す開度調節機構付近の一部切欠平面図である。
【図５】図３に示す開度調節機構付近の一部切欠側面図である。
【図６】図５に示す感熱溶断部材付近の一部切欠拡大図である。
【符号の説明】
【００３２】
１  本体ケーシング
２，１６  支軸
３  羽根
４  吊り下げ具
５  開度調節機構
６  蓋体
７  点検口
８  ハンドル
９  開度調節板
９ａ  調節孔
１０  防火ダンパ
１１，２１  ネジ
１１ａ  雌ねじ孔
１２  感熱溶断部材
１２ａ  本体
１２ｂ  ストッパ
１３  保持部材
１３ａ，１４ａ  切欠部
１３ｂ  先端部
１４  回転部材
１５，２０  連結部材
１７  駆動軸
１８  バネ
１９  ケーシング
１９ａ  開口部
【図１】
2007078213.tif 000003
【図２】
2007078213.tif 000004
【図３】
2007078213.tif 000005
【図４】
2007078213.tif 000006
【図５】
2007078213.tif 000007
【図６】
2007078213.tif 000008